(57)【要約】      （修正有）【課題】簡便な構成で、可燃性ガス容器等のガス抜き、圧縮を同時に、かつ、安心して作業が行える可燃性ガス容器等穿孔簡易圧縮器を提供する。【解決手段】可燃性ガス容器等穿孔簡易圧縮器１は、長方体箱型の圧縮棒本体２に穿孔針を備えた穿孔板３で構成される。靴底等のかかと部分を蹴り下ろすことにより、穿孔針で可燃性ガス容器に穴を開け、残留ガスを排出するとともに、可燃性ガス容器側面の一部を圧縮する構成となっている。【選択図】図１
0003187917.tif 000002
【実用新案登録請求の範囲】
【請求項１】
長方体箱型棒状の本体を足で蹴り下ろすことによって、前記箱体に配置させた穿孔板の穿孔針が可燃性ガス容器等の側面に穴を開け、容器内の残留ガスを排出すると供に、容器側面の一部を圧縮するよう構成された可燃性ガス容器等穿孔簡易圧縮器。
【請求項２】
前記穿孔板に取り付けられた穿孔針の先端部分が、動作時以外において、前記箱体内部に収納される構成とした請求項１に記載の可燃性ガス容器等穿孔簡易圧縮器。
【考案の詳細な説明】
【技術分野】
【０００１】
本考案は、使用済みスプレー缶、カセット式ガスボンベ等の可燃性ガス容器の残留ガスの排出及び容器圧縮に関し、安全で手軽に使用可能な可燃性ガス容器等穿孔簡易圧縮器に関する。
【背景技術】
【０００２】
従来、スプレー缶、カセット式ガスボンベ等のガス抜きには、ハンマーの先端にポンチ上の突起物を設け、打ち下ろすもの（特許文献１参照）、針状のピン類に容器を押圧するもの（特許文献２参照）、容器のノズル部分より残留ガスを抜き取るキャップ式のもの（特許文献３参照）、その他、ペンチ状の物でパンチ穴を開けるものなどが存在する。さらに、固定部と圧縮板で容器を挟んで押圧開孔することによりガスを抜き、位置及び動作を変えることにより容器等の圧縮を可能とするものが公開されていた（特許文献４参照）。）
【先行技術文献】
【特許文献】
【０００３】
【特許文献１】実開平６−９８８３号公報
【特許文献２】特開平１０−２６７１９６号公報
【特許文献３】特開２００１−２４７１５０号公報
【特許文献４】特開平１１−２４５０９１号公報
【考案の概要】
【考案が解決しようとする課題】
【０００４】
前記特許文献１に記載される磁石付ガス抜き用ハンマーは、先端部分に針状の突起物を設け、打ち下ろすことにより、使用済みスプレー缶、カセットボンベの側面に穴を開けることでガスを抜いていた。又、前記特許文献２に記載のカセットボンベの残留ガス抜き器は、ガスボンベの底部に穿孔用のピンを押圧して開孔し、ガス抜きを行っている。さらに、前記特許文献３のカセットガスボンベ用ガス抜きキャップは、ボンベ先端部のノズルに治具をあて、押圧することによりガスを排出させている。すなわち、前記特許文献１、２及び３は、ガス抜きのみを目的とするもので、使用済みスプレー缶、又は、カセットボンベの圧縮はできなかった。又、前記のガス抜き方法では、容器内の残留物が手や顔に飛散、付着する危険性をはらみ、不安を抱いていた。さらに又、前記特許文献４に記載のガス抜き空き缶つぶし機は、接地面である固定部と、圧縮板の間に容器を挟み、足の押圧によりガス抜き、又は、容器の圧縮を行うのであるが、容器を縦横に入れ替えたり、ガス抜き用突起物を回転させたりしなければならず、ガス抜きと同時に圧縮が出来なかった。すなわち、前記特許文献１，２及び３は、取り扱い中の不安や危険を解消するとともにスプレー缶及びガスボンベの圧縮ができるよう。又、前記特許文献４は、一動作でガス抜きと圧縮が同時に行えるようにする為、改善の余地があった。
【０００５】
本考案は、上述の課題を解決するものであり、簡便な構成で、取り扱い上の不安を抱くことなく、ガス抜きと同時に容器の圧縮が行える可燃性ガス容器等穿孔簡易圧縮器を提供することを目的とする。
【課題を解決するための手段】
【０００６】
本考案に係る可燃性ガス容器等穿孔簡易圧縮器は、棒状の圧縮棒本体と、穿孔針を備えた穿孔板で構成し、穿孔板は、上下動を可能にするため、ジョイント式ボルトで支点となる位置に圧縮棒本体と連結している。
【０００７】
圧縮棒本体には、ジョイント式ボルト中央部にバネを配して、穿孔板を下方に可動させた後、穿孔板が上方に戻る形態とし、バネ上部には、バネの伸縮に伴う動作を妨げないよう溝を設け、バネ下部端には、バネが左右に振れないようにバネ定位置用縦穴を設けている。
【０００８】
又、圧縮棒本体の箱体両端末には、砂や小石が侵入しないよう、端末用キャップを用いて箱体を閉塞させた構成となっている。
【０００９】
さらに、圧縮棒本体には、穿孔針の上下動を可能にするため、穿孔針用上穴と穿孔針用下穴を設け、穿孔針が上方から下方に貫通できる形態となっている。
【００１０】
さらに又、圧縮棒本体下部の穿孔針用下穴周囲外側には、穿孔の時、可燃性ガス容器等がずれないように滑り止めゴムを設けた形態としている。
【００１１】
本考案の可燃性ガス容器等穿孔簡易圧縮器の穿孔板には、裏面に穿孔針補強座金を用いて、殴打に耐えうる形態で、穿孔針が取り付けてある。
【００１２】
なを、穿孔板の端末、ジョイント式ボルト側には、穿孔板はね上げ防止部を設け、殴打後及び静止時において穿孔針先端が圧縮棒本体下部の穿孔用下穴から出ない位置で静止する構成となっている。
【考案の効果】
【００１３】
本考案の可燃性ガス容器等穿孔簡易圧縮器は、使用済みカセットボンベ、スプレー缶などのガス容器等を地面に置き、其のガス容器等の上に直角方向に圧縮器本体の滑り止めゴム部を乗せ、靴底等かかと部分で穿孔板を蹴り下ろすことによりガス抜きとボンベ等の容器圧縮を同時に行えるよう構成されている。したがって、用具や容器を手に持って作業を行わないので、手や顔に内容物又は残留ガスが飛散、付着する不安を抱くことなく安心して作業を行う事ができる。
【００１４】
又、上記構成の可燃性ガス容器等穿孔簡易圧縮器は、作業時以外において、穿孔針の先端部分が、圧縮棒本体に収納される構成の為、安全である。
【００１５】
さらに又、上記構成の可燃性ガス容器等穿孔簡易圧縮器は、箱型棒状の本体に、殴打用の穿孔板を取り付けた簡便な形態で、小型軽量であるため、取り扱いが良好である。
【図面の簡単な説明】
【００１６】
【図１】本考案の一実施形態である可燃性ガス容器等穿孔簡易圧縮器の概略斜視図である。
【図２】図１の可燃性ガス容器等穿孔簡易圧縮器の正面図である。
【図３】図１の可燃性ガス容器等穿孔簡易圧縮器の背面図である。
【図４】図１の可燃性ガス容器等穿孔簡易圧縮器の右側面図である。
【図５】図１の可燃性ガス容器等穿孔簡易圧縮器の平面図である。
【図６】図１の可燃性ガス容器等穿孔簡易圧縮器の底面図である。
【図７】図４のＡ−Ａ線方向に沿った横断面図である。
【図８】図５のＢ−Ｂ線方向に沿った縦断面図である。
【図９】図１の可燃性ガス容器等穿孔簡易圧縮器の概略分解図である。
【図１０】図１の可燃性ガス容器等穿孔簡易圧縮器の一実施形態の概略側面図である。
【図１１】図１の可燃性ガス容器等穿孔簡易圧縮器を使用してガス抜き及び圧縮を行なった状態のガス容器の概略図である。
【考案を実施するための形態】
【００１７】
以下、本考案の一実施形態を図面に基づいて説明する。実施形態の可燃性ガス容器等穿孔簡易圧縮器１は、図１に示すように、外形形状を長方体箱型の圧縮棒本体２と、その外部上方に穿孔板３を備えて、穿孔板３の裏面には、可燃性ガス容器１２等の穿孔圧縮時に加わる、かかとの殴打に耐えられるように穿孔針補強座金４ｂを配して、穿孔針４ａが取り付けてある。（図２，４、８及び図９参照）
【００１８】
実施形態の可燃性ガス容器等穿孔簡易圧縮器１の圧縮棒本体２には、穿孔針４ａが上下に可動できるように、穿孔針用上穴９ａと穿孔針用下穴９ｂを設けている。（図６〜図９参照）
【００１９】
又、穿孔板３の上下動を可能とするため、ジョイント式ボルト７ａを支点として、穿孔板３の穿孔針４ａ部分が上下動可能な状態で圧縮棒本体２に連結させている。（図４、図９参照９）
【００２０】
さらに又、圧縮棒本体２と穿孔板３の連結部、ジョイント式ボルト７ａ中央部分には、穿孔板３の復帰を図るようにバネ１０を配した構成としている。なを、バネ１０の伸縮に支障をきたさないように、圧縮棒本体２にはバネ可動用溝１１を、バネ１０の横ブレ防止にバネ定置用縦穴８を設けた構成としている。（図６〜図９参照）
【００２１】
なを、穿孔板３のジョイント式ボルト７ａ側には、穿孔圧縮の後、跳ね上げ防止と未使用時の静止位置を定めるため、下方に湾曲させ、穿孔板跳ね上げ防止部１３としている。（図４，５，８及び図９参照）
【００２２】
実施形態の可燃性ガス容器等穿孔簡易圧縮器１を構成する圧縮棒本体２の両端末には、端末用キャップ５を用いて閉塞し、砂や小石の侵入を防いでいる。（図２〜図９参照）
【００２３】
実施形態の可燃性ガス容器等簡易圧縮器１は、図９に示すように、簡便な部品構成で成り立っているため、小型軽量で持ち運びも容易であり、保管が楽である。
【００２４】
又、図１０に示すように、かかとを蹴り下ろす方法で使用するものであるから、力を要さず、容易に穿孔圧縮が行える。
【００２５】
さらに、穿孔圧縮後の可燃性ガス容器１２は、図１１に示すような形態となるため、穿孔処理済であることが容易に目視でき、廃品回収時の作業がスムーズで安全に行われる。
【００２６】
ちなみに、実施形態の可燃性ガス容器等穿孔簡易圧縮器１の大きさを示しておけば、幅５ｃｍ×高さ２ｃｍ×長さ３０ｃｍ程の長方体箱型に穿孔板３を取り付けた形態となっている。
【符号の説明】
【００２７】
１      可燃性ガス容器等穿孔簡易圧縮器
２      圧縮棒本体
３      穿孔板
４ａ    穿孔針
４ｂ    穿孔針補強座金
５      端末用キャップ
６      滑り止めゴム
７ａ    ジョイント式ボルト
７ｂ    ジョイント式ボルトキャップ
８      バネ定置用縦穴
９ａ    穿孔針用上穴
９ｂ    穿孔針用下穴
１０    バネ
１１    バネ可動用溝
１２    可燃性ガス容器
１３    穿孔板跳ね上げ防止部
１４    穿孔痕
Ｇ      接地面
Ｔ      接地点
Ｐ      前方
【図１】
0003187917.tif 000003
【図２】
0003187917.tif 000004
【図３】
0003187917.tif 000005
【図４】
0003187917.tif 000006
【図５】
0003187917.tif 000007
【図６】
0003187917.tif 000008
【図７】
0003187917.tif 000009
【図８】
0003187917.tif 000010
【図９】
0003187917.tif 000011
【図１０】
0003187917.tif 000012
【図１１】
0003187917.tif 000013
【手続補正書】
【提出日】平成25年6月27日(2013.6.27)
【手続補正１】
【補正対象書類名】実用新案登録請求の範囲
【補正対象項目名】全文
【補正方法】変更
【補正の内容】
【実用新案登録請求の範囲】
【請求項１】
使用済みガス容器を地面に置き、前記ガス容器のガス抜きと容器の圧縮を同
時に行うものであって、長方体箱型の圧縮棒本体にジョイント式ボルトを介
して穿孔板を連結させ、前記穿孔板の裏面に穿孔針を連結し、前記圧縮棒本
体に穿孔針用上穴と穿孔針用下穴を設けるとともに、前記ガス容器の直角方
向に前記穿孔板を載置し、靴底等かかと部分で前記穿孔板を蹴り下ろすこと
により前記穿孔針が穿孔針用上穴と穿孔針用下穴を貫通するものにおいて、
前記圧縮棒本体、穿孔板及び穿孔針が金属製で構成されていることを特徴と
する可燃性ガス容器穿孔簡易圧縮器。
【請求項２】
前記圧縮棒本体の上部に構成される穿孔板に加重されたときのみ前記穿孔針が圧縮棒本体下部に突出し、加重が解除されたとき穿孔板とともに穿孔針もジョイント式ボルト部に配置したバネにより上方に復帰して圧縮棒本体内部に復帰、収納されることを特徴とする請求項１に記載の可燃性ガス容器穿孔簡易圧縮器。